【手続補正書】
【提出日】平成19年5月7日(2007.5.7)
【手続補正１】
【補正対象書類名】明細書
【補正対象項目名】特許請求の範囲
【補正方法】変更
【補正の内容】
【特許請求の範囲】
【請求項１】  少なくとも２枚の重ね合わせたフィルム材料シートを含み、前記シートの重ね合わせた縁の少なくとも一部が永久にシールされたバッグであり、ここで、前記シートの少なくとも一方が、不注意な接着を防ぐ感圧接着剤を備える複合フィルム材料であり、接着剤支持フィルムシートが、加圧されてシール周辺部をつくる時、他方のフィルムシートに剥離可能にシール可能であり、ここで前記バッグの内部が、前記シール周辺部内に含まれるバッグ。
【請求項２】  前記内部が、前記重ね合わせた縁の永久にシールされた部分内に含まれる、請求項１に記載のバッグ。
【請求項３】  前記バッグが、４対の重ね合わせた縁を有し、前記重ね合わせた縁の少なくとも１対が、永久にシールされる、請求項１に記載のバッグ。
【請求項４】  フィルム材料の第一シート及びフィルム材料の第二シートを含むバッグにおいて、前記シートの少なくとも一方が、不注意な接着を防ぐための感圧接着剤を備える複合フィルム材料であり、前記接着剤支持フィルムシートが、加圧されてシール周辺部をつくる時、他方のフィルムシートに剥離可能にシール可能であり、ここで前記バッグの内部が、前記シール周辺部内に含まれるバッグ。
【請求項５】  少なくとも一つの第一部分自由縁を持つ第一部分と、少なくとも一つの第二部分自由縁を持つ第二部分と、前記第一部分と前記第二部分の間の接合領域とを有するシートを含むバッグにおいて、前記第一部分または前記第二部分の少なくとも一方が、不注意な接着を防ぐ感圧接着剤を備える複合フィルム材料からなり、かつ、前記第一部分が、接合領域のあたりで折り畳まれることにより前記第二部分に被さり、前記第一部分及び前記第二部分が、前記第一部分及び前記第二部分の一方を前記第一部分及び前記第二部分の他方に加圧することによりつくられるシール周辺部に沿って互いに剥離可能にシール可能であり、ここで前記バッグの内部が、前記シール周辺部内に含まれるバッグ。
【請求項６】  前記第一部分及び前記第二部分の両方共が、不注意な接着を防ぐ感圧接着剤を備える複合フィルム材料からなる、請求項５に記載のバッグ。
【請求項７】  前記接合領域が、不注意な接着を防ぐ感圧接着剤を備える複合フィルム材料からなる、請求項６に記載のバッグ。
【請求項８】  前記シートが、不注意な接着を防ぐ感圧接着剤を備える複合フィルム材料の一体シートである、請求項７に記載のバッグ。
【請求項９】  前記内部が、前記接合領域内に含まれる、請求項５に記載のバッグ。
【請求項１０】  前記第一部分自由縁の少なくとも一部が、前記第二部分自由縁の少なくとも一部に永久にシールされる、請求項５に記載のバッグ。
【請求項１１】  少なくとも一つの第一部分自由縁を持つ第一部分と、少なくとも一つの第二部分自由縁を持つ第二部分と、前記第一部分および前記第二部分の間の接合領域とを有するシートを含むバッグにおいて、前記第一部分または前記第二部分の少なくとも一方が、不注意な接着を防ぐ感圧接着剤を備える複合フィルム材料からなり、前記第一部分自由縁または前記第二部分自由縁の少なくとも一方が、他方の前記第一部分自由縁または前記第二部分自由縁と視覚的に対比する開き表示手段を備え、かつ前記第一部分が、接合領域のあたりで折り畳まれることにより前記第二部分に被さり、前記第一部分及び前記第二部分が、前記第一部分及び前記第二部分の一方を前記第一部分及び前記第二部分の他方に加圧することによりつくられるシール周辺部に沿って互いに剥離可能にシール可能であり、前記シール周辺部が、前記接合領域を含むバッグ。
【請求項１２】  前記複合フィルム材料が、第一面及び第二面を有する三次元複合シート材料であり、ここで前記第一面が、前記第一面から外側に伸長し間隔を置いて配置された複数の三次元の突出部を有する少なくとも一つの領域を含み、前記突出部が、隣り合う突出部の間の三次元空間の連続網状組織により分離され、前記空間が、接着剤で部分的に充填される、請求項１、４、５または１１のいずれか１項に記載のバッグ。
【請求項１３】  前記複数の突出部が、各々が有限数の線状辺を有し組み合う凸多面形の無定形模様を形成し、隣り合う多角形の向かい合う辺が平行である、請求項１２に記載のバッグ。
【請求項１４】  前記内部が、前記接着剤支持フィルムシートを剥離可能にシールして複数のシール周辺部をつくることにより複数の内部に分けられている、請求項１、４、５または１１のいずれか１項に記載のバッグ。
【請求項１５】  開き表示手段を含む、請求項１、４、５または１１のいずれか１項に記載のバッグ。
【請求項１６】  前記開き表示手段が、色表示手段を含む、請求項１５に記載のバッグ。
【請求項１７】  前記開き表示手段が、印刷表示手段を含む、請求項１５に記載のバッグ。
【請求項１８】  前記シートが、装飾的な印刷を備える、請求項１、４、５または１１のいずれか１項に記載のバッグ。
【請求項１９】  物品を請求項１、４、５または１１のいずれか１項に記載のバッグに入れ、シール周辺部をつくることにより前記バッグを剥離可能にシールし、かつシールしたバッグを保管場所に置くことを含む、物品の保管方法。
【請求項２０】  前記物品が、野菜であり、前記保管場所が、冷蔵庫である、請求項１９に記載の方法。
【手続補正２】
【補正対象書類名】明細書
【補正対象項目名】００１１
【補正方法】変更
【補正の内容】
【００１１】
更に開示されるのは、フィルム材料の第一シート及びフィルム材料の第二シートを含むバッグであり、ここでこれらのシートの少なくとも一方は、不注意な接着を防ぐ感圧接着剤を備える複合フィルム材料であり、その接着剤支持フィルムシートは、加圧されてシール周辺部をつくる時、他方のフィルムシートに剥離可能にシールされ、ここでバッグの内部はシール周辺部内に含まれる。
【手続補正３】
【補正対象書類名】明細書
【補正対象項目名】００１２
【補正方法】変更
【補正の内容】
【００１２】
更に開示されるのは、少なくとも一つの第一部分自由端を持つ第一部分と、少なくとも一つの第二部分自由端を持つ第二部分と、第一部分および第二部分の間の接合領域とを有するシートを含むバッグであり、ここで第一部分または第二部分の少なくとも一方が、不注意な接着を防ぐ感圧接着剤を備える複合フィルム材料からなり、ここで第一部分は接合領域あたり（以下、周囲ともいう。）で折り畳むことにより第二部分に被さり、第一部分及び第二部分はその部分の一方をその部分の他方に加圧する（以下、押し付けるともいう。）ことによりつくられるシール周辺部に沿って互いに剥離可能にシール可能であり、ここでバッグの内部はシール周辺部内に含まれる。
【手続補正４】
【補正対象書類名】明細書
【補正対象項目名】００１３
【補正方法】変更
【補正の内容】
【００１３】
また開示されるのは、少なくとも一つの第一部分自由端を持つ第一部分と、少なくとも一つの第二部分自由端を持つ第二部分と、第一部分および第二部分の間の接合領域とを有するシートを含むバッグであり、ここで第一部分または第二部分の少なくとも一方は、不注意な接着を防ぐ感圧接着剤を備える複合フィルム材料からなり、第一部分自由端または第二部分自由端の少なくとも一方は、他の第一部分自由端または第二部分自由端と視覚的に対比する開き表示手段を備え、ここで第一部分は接合領域の周囲で折り畳むことにより第二部分に被さり、第一部分及び第二部分はその部分の一方をその部分の他方に押し付けることによりつくられるシール周辺部に沿って剥離可能に互いにシールされ、シール周辺部は更に接合領域を含む。
【手続補正５】
【補正対象書類名】明細書
【補正対象項目名】００２１
【補正方法】変更
【補正の内容】
【００２１】
バッグが図１ａに示すような正方形または長方形である場合、重ね合わせた縁の二つが、永久にシールされることが望ましい。例えば第一シート２０の縁２６は永久シール１２ｂに沿う第二シート３０の縁３６に永久にシールされ、第一シート２０の縁２８は、永久シール１２ａに沿う第二シート３０の縁３８に永久にシールされる。図１ｃは、十分に開いた位置の図１ａのバッグを示し、その長所は下記に十分詳細に説明する。
【手続補正６】
【補正対象書類名】明細書
【補正対象項目名】００４１
【補正方法】変更
【補正の内容】
【００４１】
図３〜図５に示すフィルム１００の実施態様では、円錐形の突出部１４０は約０．３８１ｍｍ（０．０１５インチ）〜約０．７６２ｍｍ（０．０３インチ）までの基礎直径を有する。これらの突出部は中心から中心まで、約０．７６２ｍｍ（０．０３インチ）〜約１．５２４ｍｍ（０．０６インチ）までの空隙部及び約０．１０２ｍｍ（０．００４インチ）〜約０．３０５ｍｍ（０．０１２インチ）までの突出高を有する。フィルム材料は、同質の樹脂またはその混合物から作成してもよい。フィルム構造体内の単一層または多重層は、共に押出しするか、押出しコーティング、ラミネートまたは他の既知の手段により結合するかが熟慮される。フィルム材料の重要な特質は、製品の突出部及び谷部が形成可能なことである。有用な樹脂には、ポリエチレン、ポリプロピレン、ＰＥＴ、ＰＶＣ、ＰＶＤＣ、ラテックス構造体、ナイロンなどが挙げられる。 好ましいフィルム材料は、約０．０１〜約０．０２ｍｍまで、より好ましくは約０．０１２〜約０．０１５ｍｍまでの名目上の厚さのポリエチレンである。好ましいフィルム材料は、米国トレデガ−社（Tredegar Co.,）から入手可能な約０．０１２ｍｍの１００％ＨＤＰＥフィルムである。このようなフィルムは、米国エクソン社（Exxon Co.,）からも入手可能である。
【手続補正７】
【補正対象書類名】明細書
【補正対象項目名】００４３
【補正方法】変更
【補正の内容】
【００４３】
突出部の寸法及び空隙部は最適化され、流体密封のための連続する接着剤の通路を提供するが、容易に伸張されるフィルムを生成しない。伸張されたフィルムが、接着剤接触平面に平行な残余力となり、弱い接着剤結合を破断させることがある。
【手続補正８】
【補正対象書類名】明細書
【補正対象項目名】００５０
【補正方法】変更
【補正の内容】
【００５０】
突出部２４０は、突出部の間の谷の嵩を最小にし、よってその間に配置する接着剤の量を最小化するために、中心から中心までほぼ二つの突出部の基礎直径分の平均距離の、またはそれより短い距離の、間隔を置いて配置することが好ましい。突出部はその直径より少ない高さを持つことが好ましく、その結果、変形時に材料の平面に実質的に垂直である軸に沿って実質的に反転すること、及び／またはクラッシュすることにより変形する。この突出形状及び変形形式は、突出部が材料の平面に平行な方向に被さりその結果突出部はその間の谷部の接着剤が目標面に接触するのを塞ぐことができないことを防止する。
【手続補正９】
【補正対象書類名】明細書
【補正対象項目名】００５４
【補正方法】変更
【補正の内容】
【００５４】
また、設計者は、無定形領域を規則的な非無定形模様、または突出部の全くない「空白」領域、またはそのいずれかの組み合わせと分離してもよい。非無定形領域の形状及び寸法は更に、注文に応じて作成できる。
【手続補正１０】
【補正対象書類名】明細書
【補正対象項目名】００６２
【補正方法】変更
【補正の内容】
【００６２】
対照的に、 挿入及び取り出しのために利用可能な一辺のみを持つ従来のバッグ、例えばジッパー型バッグまたは保管バッグは、このような長所を提供できない。商業的に入手可能なジッパー型バッグでは、開きは、ジッパー材料の組み込み及び閉じに必要な領域のために、実際のバッグ寸法よりも実際には狭くなる可能性がある。このようなジッパー型バッグは従って、大きいまたは不規則な形状の物品のために使用することは不便または不可能であり得る。例えば、商業的に入手可能なジップロック（ＺＩＰＬＯＣ）野菜保管バッグＬサイズは、約２６．８ｃｍｘ２７．９ｃｍの寸法を持つ。しかしその挿入／取り出し開き領域は、開いた領域を完全な円と限定して計算すると、わずか約２２３ｃｍ2である。
【手続補正１１】
【補正対象書類名】明細書
【補正対象項目名】０１０３
【補正方法】変更
【補正の内容】
【０１０３】
本明細書で記載する実施例及び実施形態は単なる説明目的で提示したものであり、且つ本発明の範疇から逸脱することなく、その種々の変形または変更が当該技術分野における当業者に予想されるであろうということは理解される。
【図面の簡単な説明】
本明細書は、本発明を特に指摘しかつ明白に請求する特許請求の範囲で終わっているが、次の好ましい実施形態の説明を添付図面と関連して読むことにより、本発明を更に良く理解できるであろう。
【図１ａ〜図１ｃ】
本発明のバッグの好ましい実施態様の斜視図である。
【図２ａ】
図２ｂに示すバッグの好ましい実施態様に形成する前の一枚の複合フィルム材料のシートの平面図である。
【図２ｂ】
図２ａに示すシートから形成されるバッグの斜視図である。
【図２ｃ】
食品をバッグの内側に置いた、図２ａ及び図２ｂに示すバッグの平面図である。
【図３】
本発明の複合材料の好ましい実施態様の上平面図であり、感圧接着剤の格子の間に熱成形された切頭円錐形突出部を有する一片の可撓性フィルムを示す。
【図４】
図３の区分線４−４に沿って取った、図３の複合材料の区分立面図であり、突出部が突出部の間の接着剤層から離すものとして働くことを示し、突出部の最も外側の末端部に接触する目標面は、接着剤層に接触しない。
【図５】
図４に類似する、その区分立面図であり、くぼみをつけた複合材料を目標面に押し付ける効果を示し、その結果突出部は圧潰し、突出部の間の接着剤層は目標面に接触する。
【図６】
本発明による三次元ネスティング抵抗性複合シート材料の他の好ましい実施態様の平面図である。
【図７】
食品をバッグの内部に置いた、図１ａ及び図１ｃに示すバッグの斜視図である。
【図８】
区分した様式で食品をバッグの内側に置いた、図１ａ及び図１ｃに示すバッグの斜視図である。
【図９】
本発明のバッグを従来の食物保管バッグと比較する、実施例１の重量損失試験のデータのグラフによる表示である。